(57)【要約】    【課題】  子供が被収容物を誤飲することを抑制し得る台紙付きブリスター包装体を提供する。    【解決手段】  被収容物を収容した収容部と該収容部の周囲に配されたフランジ部とを有する成型シートと、前記フランジ部に接着されることにより前記収容部を密封した蓋材とを備えたブリスター包装体と、前記ブリスター包装体を前記成型シート側から覆う第１の台紙部と、前記蓋材側から覆う第２の台紙部とを有する台紙とを備え、前記第２の台紙部は、前記収容部に対応する位置の前記蓋材を覆うように、易開裂加工部により区画された開封部を有し、前記開封部は、前記収容部に対応する位置の前記蓋材を露出させるように剥離可能であり、且つ、該剥離に対して抵抗を与えるべく、前記蓋材または前記第１の台紙部の少なくとも一方と接着された接着部を有している台紙付きブリスター包装体。【選択図】  図１
2015221686.tif 000002
【特許請求の範囲】
【請求項１】
被収容物を収容した収容部と該収容部の周囲に配されたフランジ部とを有する成型シートと、前記フランジ部に接着されることにより前記収容部を密封した蓋材とを備えたブリスター包装体と、
前記ブリスター包装体を前記成型シート側から覆う第１の台紙部と、前記蓋材側から覆う第２の台紙部とを有する台紙とを備え、
前記第２の台紙部は、前記収容部に対応する位置の前記蓋材を覆うように、易開裂加工部により区画された開封部を有しており、
前記開封部は、前記収容部に対応する位置の前記蓋材を露出させるように剥離可能であり、且つ、該剥離に対して抵抗を与えるべく、前記蓋材または前記第１の台紙部の少なくとも一方と接着された接着部を有している、台紙付きブリスター包装体。
【請求項２】
前記第２の台紙部は、前記開封部の先端部に隣接して形成された貫通孔部をさらに有している、請求項１に記載の台紙付きブリスター包装体。
【発明の詳細な説明】
【技術分野】
【０００１】
本発明は、錠剤やカプセル等の被収容物を収容する台紙付きブリスター包装体に関する。
【背景技術】
【０００２】
従来、錠剤やカプセル等の被収容物を収容する包装体として、ＰＴＰ包装体等のブリスター包装体が用いられている。かかるブリスター包装体は、被収容物を収容した収容部と該収容部の周囲に配されたフランジ部とを有する成型シートと、フランジ部に接着されることにより収容部を密封した蓋材とを備えている。
【０００３】
また、かかるブリスター包装体は、被収容物を記載するスペースが少ない等の理由から、該ブリスター包装体と、被収容物に関する情報等が記載された台紙とを備えた台紙付きブリスターも用いられている。
【０００４】
この種の台紙付きブリスターとしては、台紙が、ブリスター包装体を成型シート側から覆う第１の台紙部と、蓋材側から覆う第２の台紙部とを備え、第２の台紙部が、収容部に対応する位置の蓋材を覆うように、易開裂加工部により区画された開封部を有しており、該開封部が、上記収容部に対応する位置の蓋材を露出させるように剥離可能に構成されたものが提案されている（特許文献１、２参照）。
【先行技術文献】
【特許文献】
【０００５】
【特許文献１】特表２００６−５２０７２７号公報
【特許文献２】特開２０１０−６４３１号公報
【発明の概要】
【発明が解決しようとする課題】
【０００６】
しかし、上記したような台紙付きブリスター包装体では、第２の台紙部に形成された開封部が、易開裂加工部によって容易に剥離可能となっているため、該開封部を、子供が誤って剥離し、蓋材から被収容物を取り出して、誤って服用（誤飲）してしまうおそれがある。
【０００７】
上記問題点に鑑み、本発明は、子供が被収容物を誤飲することを抑制し得る台紙付きブリスター包装体を提供することを課題とする。
【課題を解決するための手段】
【０００８】
本発明に係る台紙付きブリスター包装体は、
被収容物を収容した収容部と該収容部の周囲に配されたフランジ部とを有する成型シートと、前記フランジ部に接着されることにより前記収容部を密封した蓋材とを備えたブリスター包装体と、
前記ブリスター包装体を前記成型シート側から覆う第１の台紙部と、前記蓋材側から覆う第２の台紙部とを有する台紙とを備え、
前記第２の台紙部は、前記収容部に対応する位置の前記蓋材を覆うように、易開裂加工部により区画された開封部を有しており、
前記開封部は、前記収容部に対応する位置の前記蓋材を露出させるように剥離可能であり、且つ、該剥離に対して抵抗を与えるべく、前記蓋材または前記第１の台紙部の少なくとも一方と接着された接着部を有している。
【０００９】
かかる構成によれば、開封部が、その剥離に対して抵抗を与える接着部を有していることによって、手指の力が比較的弱い子供にとって開封部を剥離することが困難となる。これにより、子供が開封部を誤って剥離し、蓋材から被収容物を取り出して誤飲することを、抑制できる。
【００１０】
また、上記構成の台紙付きブリスター包装体においては、
前記第２の台紙部は、前記開封部の先端部に隣接して形成された貫通孔部をさらに有していることが好ましい。
【００１１】
かかる構成によれば、貫通孔部に手指を引っ掛けて開封部を剥離することができるため、子供が誤って剥離することを抑制しつつも、被収容物の取り出しが必要とされる場合には、開封部の剥離に要する力を開封部に加え易くなる。
従って、子供の誤飲を抑制しつつも、被収容物の取り出しが必要な場合には、その取り出しが比較的容易となる。
【発明の効果】
【００１２】
以上のように、本発明によれば、子供が被収容物を誤飲することを抑制し得る台紙付きブリスター包装体が提供される。
【図面の簡単な説明】
【００１３】
【図１】本発明の一実施形態の台紙付きブリスター包装体を示す概略上面図
【図２】本実施形態の台紙付きブリスター包装体を示す概略下面図
【図３】本実施形態の台紙付きブリスター包装体に用いられるブリスター包装体を示す概略上面図
【図４】本実施形態の台紙付きブリスター包装体に用いられるブリスター包装体を示す概略側面図
【図５】本実施形態の台紙付きブリスター包装体において開封部が引き出された状態を示す概略斜視図
【図６】本発明の他の実施形態の台紙付きブリスター包装体を示す概略下面図
【図７】本発明の他の実施形態の台紙付きブリスター包装体を示す概略下面図
【図８】本発明の他の実施形態の台紙付きブリスター包装体を示す概略下面図
【発明を実施するための形態】
【００１４】
以下、図面を参照しつつ、本発明の一実施形態の台紙付きブリスター包装体について説明する。
【００１５】
図１〜４に示すように、本実施形態の台紙付きブリスター包装体１００は、被収容物５０を収容した収容部５と該収容部５の周囲に配されたフランジ部７とを有する成型シート３と、前記フランジ部７に接着されることにより前記収容部５を密封した蓋材９とを備えたブリスター包装体１と、該ブリスター包装体１を前記成型シート３側から覆う第１の台紙部２１と、前記蓋材側から覆う第２の台紙部２５とを有する台紙２０とを備え、前記第１の台紙部２１は、前記収容部５を露出させる開口部２３を有しており、前記第２の台紙部２５は、前記収容部５に対応する位置の前記蓋材９を覆うように、易開裂加工部２７により区画された開封部２９を有しており、前記開封部２９は、前記収容部５に対応する位置の前記蓋材９を露出させるように剥離可能であり、且つ、該剥離に対して抵抗を与えるべく、前記蓋材９または前記第１の台紙部２１の少なくとも一方と接着された接着部３３を有している。
【００１６】
本実施形態では、ブリスター包装体１がＰＴＰ包装体であって、被収容物５０が固形状である、より具体的には円形状の経口固形製剤としての錠剤である場合について説明する。
なお、本発明においては、上記の他、ブリスター包装体１は、蓋材９を捲ることによって被収容物５０を取り出すように構成されたブリスター包装体であってもよい。また、被収容物５０は、ゼリーや軟膏等の半固形状であってもよく、固形状である場合には、楕円形状の錠剤であっても、カプセル等であってもよい。これらのうち、被収容物５０は、錠剤またはカプセルが好ましい。また、被収容物５０の大きさも、特に限定されるものではなく適宜設定することができる。例えば、被収容物５０が経口固形製剤である場合、服用者の喉を通過し得る程度の大きさに適宜設定することができる。また、被収容物５０は、上記の他、ボタン電池等であってもよい。
【００１７】
図３、図４に示すように、ブリスター包装体１は、被収容物５０を収容した収容部５と該収容部５の周囲に配されたフランジ部７とを有する成型シート３と、前記フランジ部７に接着されることにより前記収容部５を密封した蓋材９とを備えている。
【００１８】
成型シート３の形成材料としては、塩化ビニル、ポリプロピレン、ポリエチレンテレフタレート、ポリエチレン、ポリ塩化ビニリデン、環状ポリオレフィン、ポリクロロトリフルオロエチレン（ＰＣＴＦＥ）等の樹脂材料が挙げられる。また、成型シート３は、これら樹脂材料から選択される１種類から形成された１層構造を有していても、２種類以上からそれぞれ形成された層が積層されてなる多層構造を有していてもよい。かかる多層構造を有する成型シート３としては、例えば、３層共押出によって形成された積層体や、塩化ビニル層と他の樹脂層との積層体や、高防湿な樹脂層と他の樹脂層との積層体を用いて形成されたもの等が挙げられる。また、成型シート３は、これら樹脂材料から形成された層とアルミニウム層とが積層された多層構造を有していてもよい。また、成型シート３の形成材料の厚みは、例えば１００〜５００μｍ程度とすることが好ましいが、かかる材料や形成材料の厚みは特に限定されるものではなく、被収容物５０等に応じて適宜設定することができる。
【００１９】
成型シート３には、被収容物５０を収容するための収容部５が１４個形成されている。なお、本発明においては、１つの成型シート３に形成される収容部５の数量は、特に限定されるものではなく適宜設定され得る。また、フランジ部７には、長手方向における収容部５同士の間に、短手方向に沿って延在するように配置されたミシン目やスリットが形成されていてもよい。
【００２０】
このような成型シート３は、例えば真空成形、圧空成形、プラグアシスト圧空成形等を用いて収容部５を形成することによって作製することができる。
【００２１】
蓋材９は、アルミニウム箔、紙類、アルミニウム箔をラミネートした紙類、合成樹脂フィルム、ポリエチレンテレフタレートのフィルムとポリプロピレンのフィルムとを積層したフィルム、アルミニウムを蒸着したポリエチレンテレフタレートフィルム等や、これらの積層体から形成することができる。また、蓋材９の厚みは、例えば１０〜８０μｍ程度とすることが好ましいが、かかる蓋体９の材質や厚みは特に限定されるものではなく、被収容物５０等に応じて適宜設定することができる。
【００２２】
このような成型シート３と蓋材９とを備えたブリスター包装体１は、例えば、以下のようにして製造することができる。すなわち、まず、真空成形等によって成型シート３の形成材料としてのシートに収容部５が形成されて成型シート３が形成される。次に、成型シート３の収容部５に被収容物５０が収容され、成型シート３のフランジ部７に蓋材９が重ね合わせられてこれらが加熱及び加圧されて、フランジ部７に蓋材９が接着される。これにより、被収容物５０が収容された状態で収容部５が密封されて、ブリスター包装体１が製造される。
【００２３】
図１、２に示すように、台紙２０は、ブリスター包装体１を成型シート３側から覆う第１の台紙部２１と、ブリスター包装体１を蓋材９側から覆う第２の台紙部２５とを有している。
【００２４】
具体的には、台紙２０は、第１の台紙部２１としての紙製シートと、第２の台紙部２５としての紙製シートとを有しており、これらによってブリスター包装体１を覆うようになっている。
【００２５】
第１の台紙２１及び第２の台紙２５に用いられる紙製シートの材質は、特に限定されるものではなく、適宜設定し得る。
【００２６】
第１の台紙部２１は、収容部５を露出させる開口部２３を有しており、これにより、収容部５は、該開口部２３を介して露出している。具体的には、第１の台紙部２１は、ブリスター包装体１の収容部５を１つずつ露出させるように形成された開口部２３を１４個有している。
なお、本発明においては、第１の台紙部２１が開口部２３を有していなくてもよく、また、開口部２３を有している場合には、１つの開口部２３が複数の収容部５を同時に露出させるようになっていてもよい。
【００２７】
第２の台紙部２５は、収容部５に対応する位置の蓋材９を覆うように、易開裂加工部２７により区画された開封部２９を有している。また、開封部２９は、収容部５に対応する位置の蓋材９を露出させるように剥離可能であり、且つ、該剥離に対して抵抗を与えるべく、成型シート３または第１の台紙部２１の少なくとも一方と接着された接着部３３を有している。
【００２８】
易開裂加工部２７は、容易に開裂することができるように加工された部分である。
図２に示す態様では、易開裂加工部２７は、Ｕ字形状に形成されており、これによって、開封部２９もＵ字状に形成され、また、開封部２９が、Ｕ字の湾曲部分を先端部２９ａ（突出端部）として剥離されるようになっている（図５参照）。
本実施形態では、易開裂加工部２７の先端側（引き出す際の先端側）である湾曲部分３１が切り込みによって形成され、残りの部分がミシン目によって形成されているが、本発明においては、易開裂加工部２７は、本実施形態の態様に特に限定されるものではない。
易開裂加工部２７としては、例えば、上記したミシン目の他、ハーフスリット、スリット、打ち抜きの少なくとも１つによって形成されたもの等が挙げられる。また、これらのいずれか１つに加えて、易開裂加工部２７が、切り込みによって形成されていてもよい。このように切り込みによって形成された湾曲部分３１を有することによって、開封部２９を剥離し易くなる。
【００２９】
開封部２９は、当該開封部２９の剥離に対して抵抗を与えるべく、蓋材９または第１の台紙部２１の少なくとも一方と接着された接着部３３を有している。
接着部３３は、手指の力が比較的弱い子供にとっては開封部２９を剥離し難いが、かかる子供よりも手指の力が比較的強い者が、剥離可能な程度の抵抗を開封部２９に与えるものである。
【００３０】
本実施形態では、接着部３３は、第１の台紙部２１の裏面に接着されている。
なお、このように、接着部３３は、第１の台紙部２１の裏面に接着されており、表面からは視認され難いが、便宜上、図２では、接着部３３を実線で示す（図６〜図８においても同様。）
接着部３３が第１の台紙部２１と接着されている態様は、特に限定されるものではないが、例えば、熱可塑性樹脂を含有する感熱型接着剤を用いたホットメルトによって接着部３３が第１の台紙部２１と接着されている態様や、感圧型接着剤を用いた圧着によって接着部３３が第１の台紙部２１と接着されている態様等を採用し得る。
【００３１】
かかる接着部３３は、開封部２９の裏面を横断するように塗布された接着剤３３ｂと、該塗布された接着剤と対応する位置の第１の台紙部２１の裏面に塗布された接着剤３３ａとを重ね合わせることによって、形成され得る（図５参照）。また、第１の台紙部２１の裏面に塗布された接着剤３３ａの幅（第１の幅）、及び、開封部２９の裏面を横断するように塗布された接着剤３３ｂの幅（第２の幅）は、特に限定されるものではないが、例えば、第１の幅を１ｍｍ、第２の幅を２ｍｍに設定し得る。
【００３２】
なお、本発明においては、接着部３３が蓋材９の表面と接着されている態様、及び、接着部３３が蓋材９の表面及び第１の台紙部２１の裏面の双方と接着されている態様を採用することができ、これら態様においても、上記と同様に接着剤を塗布することによって、接着部３３が形成され得る。また、蓋材９に接着剤を塗布する場合、通常、収容部５と対応する位置を避けて塗布され得る。
また、本発明においては、開封部２９の裏面と、蓋材９の表面または第１の台紙部２１の裏面の少なくとも一方とのうち、いずれか一方に接着剤が塗布されて、接着部３３が形成されていてもよい。
【００３３】
接着部３３が上記感圧型接着剤を用いた圧着によって形成される場合には、本実施形態に示すように、開封部２９の裏面と、蓋材９または第１の台紙部２１の少なくとも一方との双方に該接着剤を塗布することが、剥離に対する抵抗をより確実にする点で、好ましい。一方、接着部３３が上記感熱型接着剤を用いたホットメルトによって形成される場合には、開封部２９の裏面と、第１の台紙部２１または蓋材９の少なくとも一方とのうち、いずれか一方に該接着剤を塗布してもよい。このように塗布しても、該接着剤が硬化する前に第１の台紙部２１と第２の台紙部２５とを重ね合わせることによって、他方にも接着剤が十分に行き渡るからである。
【００３４】
上記のような第１の台紙２１は、開口部２３が形成されるように紙製シートを切り抜くこと、または、打ち抜くこと等によって作製することができる。また、第２の台紙２５は、開封部２９が画定されるように、切り込みやミシン目等によって易開裂加工部２７を形成することによって、作製することができる。
【００３５】
続いて、台紙付きブリスター包装体１００の製造方法について説明する。まず、開口部２３を有する第１の台紙部２１の裏面、及び、易開裂加工部２７及び開封部２９を有する第２の台紙部２５の裏面に接着剤（不図示）を塗布する。この際、例えば、第１の台紙部２１の裏面、及び、第２の台紙部２５の裏面には、ブリスター包装体１よりも外側に相当する部分に、該ブリスター包装体１を覆うように接着剤が塗布され、これによって、第１の台紙部２１と第２の台紙部２５とが、ブリスター包装体１を挟んで接着される。また、第１の台紙部２１の裏面、及び、第２の台紙部２５の裏面におけるブリスター包装体１の内側に相当する部分においては、開封部２９の接着部３３となる部分と、該接着部３３が接着される部分とにのみ接着剤３３ａ、３３ｂを塗布する。そして、これら第１及び第２の台紙部２１、２５によってブリスター包装体１を挟み、第１の台紙部２１と第２の台紙部２５を接着することによって、台紙付きブリスター包装体１００を製造することができる。
【００３６】
次に、台紙付きブリスター包装体１００からの被収容物５０の取り出し方法の一例について説明する。
まず、使用者が、易開封加工部２７における湾曲部分３１に手指を掛けて、すなわち、開封部２９の先端縁に手指を掛けて、該手指に力を入れて開封部２９を剥離すると、易開裂加工部２７が開裂して開封部２９が剥離され、開裂及び剥離が接着部３３に到達したところで、手指は、接着部３３からの抵抗を受ける。さらに手指に力を入れると、接着部３３からの抵抗に抗して、易開裂加工部２７がさらに開列し、開封部２９がさらに剥離される。これにより、図５に示すように、ブリスター包装体１の蓋部９が露出する。そして、この状態で、手指で収容部５を押圧すると、被収容物５０が蓋材９を突き破って外に出る、すなわち、蓋材９から被収容物５０が取り出される。このようにして、台紙付きブリスター包装体１００から被収容物５０を取り出すことができる。
【００３７】
上記したように、本実施形態の台紙付きブリスター包装体１００は、被収容物５０を収容した収容部５と該収容部５の周囲に配されたフランジ部７とを有する成型シート３と、フランジ部７に接着されることにより収容部５を密封した蓋材９とを備えたブリスター包装体１と、該ブリスター包装体１を成型シート３側から覆う第１の台紙部２１と、蓋材９側から覆う第２の台紙部２５とを有する台紙２０とを備え、第２の台紙部２５は、収容部５に対応する位置の蓋材９を覆うように、易開裂加工部２７により区画された開封部２９を有しており、開封部２９は、収容部５に対応する位置の蓋材９を露出させるように剥離可能であり、且つ、該剥離に対して抵抗を与えるべく、蓋材９または前記第１の台紙部２１の少なくとも一方と接着された接着部３３を有している。
【００３８】
かかる構成によれば、開封部２９が、剥離に対して抵抗を与える接着部３３を有していることによって、手指の力が比較的弱い子供にとって開封部２９を剥離することが困難となるため、子供が開封部２９を誤って剥離し、被収容物５０を取り出して誤飲することを、抑制できる。
【００３９】
本実施形態の台紙付きブリスター包装体１００は上記の通りであるが、本発明の台紙付きブリスター包装体１００は、上記実施形態に特に限定されるものではない。
【００４０】
例えば、上記実施形態では、台紙付きブリスター包装体１００が、直線状に形成された接着部３３を備えた態様を示すが、その他例えば、図６に示すように、台紙ブリスター包装体１００が、湾曲した形状、より具体的には、開封部２９の先端縁に沿って湾曲した形状の接着部３３を備えた態様を採用してもよい。
【００４１】
また、その他例えば、図７に示すように、台紙付きブリスター包装体１００において、第２の台紙部２５が、開封部２９の先端部２９ａに隣接して形成された貫通孔部３５をさらに有している態様を採用してもよい。この場合、易開裂加工部２７の先端縁は、貫通孔部３５と繋がっている構成となる。
【００４２】
かかる構成によれば、貫通孔部３５に手指を引っ掛けて開封部２９を剥離することができるため、子供が誤って剥離することを抑制しつつも、被収容物５０の取り出しが必要とされる場合には、開封部２９の剥離に要する力を開封部２９に加え易くなる。
従って、子供の誤飲を抑制しつつも、被収容物５０の取り出しが必要な場合には、その取り出しが比較的容易となる。
【００４３】
また、例えば、図８に示すように、台紙付きブリスター包装体１００が、湾曲した形状に形成された接着部３３を備え、第２の台紙部２５が、開封部２９の先端部２９ａに隣接して形成された貫通孔部３５をさらに有している態様を採用してもよい。
【００４４】
また、本実施形態では、台紙２０において、第１及び第２の台紙部２１、２５が、２枚の紙製シートであるような態様を示すが、その他、第１及び第２の台紙部２１、２５が、１枚の紙製シートを折り曲げて形成された態様を採用することもできる。
【００４５】
以上のように本発明の実施の形態について説明を行なったが、各実施の形態の特徴を適宜組み合わせることも当初から予定している。また、今回開示された実施の形態はすべての点で例示であって制限的なものではないと考えられるべきである。本発明の範囲は上記した実施の形態ではなくて特許請求の範囲によって示され、特許請求の範囲と均等の意味及び範囲内でのすべての変更が含まれることが意図される。
【符号の説明】
【００４６】
１：ブリスター包装体、３：成型シート、５：収容部、７：フランジ部、９：蓋材、２０：台紙、２１：第１の台紙部、２３：開口部、２５：第２の台紙部、２７：易開裂加工部、２９：開封部、先端部：２９ａ、３１：湾曲部分、３３：接着部、３５：貫通孔部、５０：被収容物、１００：台紙付きブリスター包装体
【図１】
2015221686.tif 000003
【図２】
2015221686.tif 000004
【図３】
2015221686.tif 000005
【図４】
2015221686.tif 000006
【図５】
2015221686.tif 000007
【図６】
2015221686.tif 000008
【図７】
2015221686.tif 000009
【図８】
2015221686.tif 000010